(57)【要約】【課題】展示のためのスペースの要求を低減する、表面カバー展示要素、システム及び／又は方法を提供すること。【解決手段】マルチパターンを有するラグ展示サンプル要素又はユニットは、潜在的顧客による同時の比較評価のための、共通の表面に少なくとも２つの異なる幾何学的デザイン及び／又は色スキームを有する。ラグ展示サンプル（３２０）は、展示サンプルとは独立に、フロアカバー製品上に利用可能なパターンに対応する２つ又はそれ以上の幾何学的又はソリッドパターンを含むようにパターン化される。【選択図】図３
2005508207.tif 000002
【特許請求の範囲】
【請求項１】
フロアカバー製品パターンの選択に使用されるフロアカバーサンプル展示要素であって、パターン化された表面を含むラグ要素を備え、前記パターン化された表面は、サンプル展示要素とは独立したフロアカバー製品のパターンに対応する少なくとも２つの選択可能なパターンの配列を含むフロアカバーサンプル展示要素。
【請求項２】
前記ラグ要素は、前記カバー製品に実質的に対応するサイズ及び形状である請求項１に記載のフロアカバーサンプル展示要素。
【請求項３】
前記少なくとも２つの選択可能なパターンの配列は、前記パターン化された表面における少なくとも１つのはめ込みパターン部を備える請求項１に記載のフロアカバーサンプル展示要素。
【請求項４】
前記少なくとも２つの選択可能なパターンの配列は、前記パターン化された表面における少なくとも１つのカラータフトパターン部を備える請求項１に記載のフロアカバーサンプル展示要素。
【請求項５】
前記少なくとも２つの選択可能なパターンの配列は、前記パターン化された表面における少なくとも１つの染色されたパターン部を備える請求項１に記載のフロアカバーサンプル展示要素。
【請求項６】
前記少なくとも１つの染色されたパターン部は、スクリーン印刷された染色パターンを備える請求項５に記載のフロアカバーサンプル展示要素。
【請求項７】
前記少なくとも１つの染色されたパターン部は、転写印刷された染色パターンを備える請求項５に記載のフロアカバーサンプル展示要素。
【請求項８】
前記少なくとも１つの染色されたパターン部は、ジェット印刷された染色パターンを備える請求項５に記載のフロアカバーサンプル展示要素。
【請求項９】
前記パターン化された表面は、サンプル展示要素とは独立したフロアカバー製品のパターンに対応する３つ又はそれ以上の選択可能なパターンの配列を含む請求項１に記載のフロアカバーサンプル展示要素。
【請求項１０】
前記パターン化された表面は、サンプル展示要素とは独立したフロアカバー製品のパターンに対応する４つ又はそれ以上の選択可能なパターンの配列を含む請求項１に記載のフロアカバーサンプル展示要素。
【請求項１１】
前記パターン化された表面は、サンプル展示要素とは独立したフロアカバー製品のパターンに対応する６つ又はそれ以上の選択可能なパターンの配列を含む請求項１に記載のフロアカバーサンプル展示要素。
【請求項１２】
前記パターン化された表面は、サンプル展示要素とは独立したフロアカバー製品のパターンに対応する８つ又はそれ以上の選択可能なパターンの配列を含む請求項１に記載のフロアカバーサンプル展示要素。
【請求項１３】
前記少なくとも２つの選択可能なパターンは、実質的に類似の幾何学的デザインを含むが、色が異なる請求項１に記載のフロアカバーサンプル展示要素。
【請求項１４】
前記少なくとも２つの選択可能なパターンは、実質的に異なる幾何学的デザインを含む請求項１に記載のフロアカバーサンプル展示要素。
【請求項１５】
前記少なくとも２つの選択可能なパターンは、異なる色の実質的に異なる幾何学的デザインを含む請求項１４に記載のフロアカバーサンプル展示要素。
【請求項１６】
前記ラグ要素は、前記少なくとも２つの選択可能なパターンの少なくとも１部を識別する１つ又はそれ以上の一体の判読可能なパターンを更に含む請求項１に記載のフロアカバーサンプル展示要素。
【請求項１７】
領域ラグフロアカバー製品パターンの選択に使用されるフロアカバーサンプル展示要素であって、パターン化された表面を含むラグ要素を備え、前記パターン化された表面は、サンプル展示要素とは独立した領域ラグフロアカバー製品のパターンに対応する少なくとも２つの選択可能なパターンの配列を含み、前記少なくとも２つの選択可能なパターンの少なくとも１つは、内側部と周縁部とを備え、前記周縁部は、内側部とは異なるパターンを含むフロアカバーサンプル展示要素。
【請求項１８】
前記ラグ要素は、前記少なくとも２つの選択可能なパターンの少なくとも１部を識別する１つ又はそれ以上の一体の判読可能なパターンを更に含む請求項１７に記載のフロアカバーサンプル展示要素。
【請求項１９】
領域ラグフロアカバー製品パターンの選択に使用されるフロアカバーサンプル展示要素であって、パターン化された表面を含むラグ要素を備え、前記パターン化された表面は、サンプル展示要素とは独立した領域ラグフロアカバー製品のパターンに対応する少なくとも２つの選択可能なパターンの配列を含み、前記少なくとも２つの選択可能なパターンの少なくとも１つは、サンプル展示要素とは独立した領域ラグフロアカバー製品のコーナー部に対応するパターンを備えるフロアカバーサンプル展示要素。
【請求項２０】
前記ラグ要素は、前記少なくとも２つの選択可能なパターンの少なくとも１部を識別する１つ又はそれ以上の一体の判読可能なパターンを更に含む請求項１９に記載のフロアカバーサンプル展示要素。
【請求項２１】
展示ラックと、前記展示ラックに支持された複数のサンプルラグ要素を備え、前記複数のサンプルラグ要素の少なくとも１部は、サンプルラグ要素とは独立したフロアカバー製品のパターンに対応する少なくとも２つの選択可能なパターンの配列を含むパターン化された表面を備える、複数のフロアカバー製品パターンを同時に示す展示システム。
【請求項２２】
サンプルラグ要素とは独立した前記フロアカバー製品は、領域ラグを備える請求項２１に記載の展示システム。
【請求項２３】
前記複数のサンプルラグ要素の少なくとも１部は、前記領域ラグに実質的に対応するサイズ及び形状である請求項２２に記載の展示システム。
【請求項２４】
前記少なくとも２つの選択可能なパターンの配列は、前記パターン化された表面における少なくとも１つのはめ込みパターン部を備える請求項２２に記載の展示システム。
【請求項２５】
前記少なくとも２つの選択可能なパターンの配列は、前記パターン化された表面における少なくとも１つのカラータフトパターン部を備える請求項２２に記載の展示システム。
【請求項２６】
前記少なくとも２つの選択可能なパターンの配列は、前記パターン化された表面における少なくとも１つの染色されたパターン部を備える請求項２２に記載の展示システム。
【請求項２７】
前記少なくとも１つの染色されたパターン部は、スクリーン印刷された染色パターンを備える請求項２６に記載の展示システム。
【請求項２８】
前記少なくとも１つの染色されたパターン部は、転写印刷された染色パターンを備える請求項２６に記載の展示システム。
【請求項２９】
前記少なくとも１つの染色されたパターン部は、ジェット印刷された染色パターンを備える請求項２６に記載の展示システム。
【請求項３０】
前記パターン化された表面は、サンプル展示要素とは独立したフロアカバー製品のパターンに対応する３つ又はそれ以上の選択可能なパターンの配列を含む請求項２１に記載の展示システム。
【請求項３１】
前記パターン化された表面は、サンプル展示要素とは独立したフロアカバー製品のパターンに対応する４つ又はそれ以上の選択可能なパターンの配列を含む請求項２１に記載の展示システム。
【請求項３２】
前記パターン化された表面は、サンプル展示要素とは独立したフロアカバー製品のパターンに対応する６つ又はそれ以上の選択可能なパターンの配列を含む請求項２１に記載の展示システム。
【請求項３３】
前記パターン化された表面は、サンプル展示要素とは独立したフロアカバー製品のパターンに対応する８つ又はそれ以上の選択可能なパターンの配列を含む請求項２１に記載の展示システム。
【請求項３４】
前記少なくとも２つの選択可能なパターンは、実質的に類似の幾何学的デザインを含むが、色が異なる請求項２１に記載の展示システム。
【請求項３５】
前記少なくとも２つの選択可能なパターンは、実質的に異なる幾何学的デザインを含む請求項２１に記載の展示システム。
【請求項３６】
展示ラックと、前記展示ラックに支持された複数のサンプルラグ要素を備え、前記複数のサンプルラグ要素の少なくとも１部は、サンプルラグ要素とは独立した領域ラグフロアカバー製品のパターンに対応する複数の選択可能なパターンの配列を含むパターン化された表面を備え、前記サンプルラグ要素の少なくとも１部は、前記選択可能なパターンの少なくとも１部を識別する１つ又はそれ以上の一体の判読可能なパターン識別標識を更に含む、複数のフロアカバー製品パターンを同時に示す展示システム。
【請求項３７】
表面カバー製品の選択に使用される表面カバーサンプル展示ユニットであって、パターン化された表面を含むラグ要素を備え、前記パターン化された表面は、表面カバー製品のパターンに対応する少なくとも２つの選択可能なパターンの配列を含む表面カバーサンプル展示ユニット。
【請求項３８】
前記ラグ要素は、前記表面カバー製品に実質的に対応するサイズ及び形状である請求項３７に記載のサンプル展示ユニット。
【請求項３９】
前記少なくとも２つの選択可能なパターンの配列は、前記パターン化された表面における少なくとも１つのはめ込みパターン部を備える請求項３７に記載のサンプル展示ユニット。
【請求項４０】
前記少なくとも２つの選択可能なパターンの配列は、前記パターン化された表面における少なくとも１つのカラータフトパターン部を備える請求項３７に記載のサンプル展示ユニット。
【請求項４１】
前記少なくとも２つの選択可能なパターンの配列は、前記パターン化された表面における少なくとも１つの染色されたパターン部を備える請求項３７に記載のサンプル展示ユニット。
【請求項４２】
前記少なくとも１つの染色されたパターン部は、スクリーン印刷された染色パターンを備える請求項４１に記載のサンプル展示ユニット。
【請求項４３】
前記少なくとも１つの染色されたパターン部は、転写印刷された染色パターンを備える請求項４１に記載のサンプル展示ユニット。
【請求項４４】
前記少なくとも１つの染色されたパターン部は、ジェット印刷された染色パターンを備える請求項４１に記載のサンプル展示ユニット。
【請求項４５】
前記パターン化された表面は、サンプル展示要素とは独立したフロアカバー製品のパターンに対応する３つ又はそれ以上の選択可能なパターンの配列を含む請求項３７に記載のサンプル展示ユニット。
【請求項４６】
前記パターン化された表面は、サンプル展示要素とは独立したフロアカバー製品のパターンに対応する４つ又はそれ以上の選択可能なパターンの配列を含む請求項３７に記載のサンプル展示ユニット。
【請求項４７】
前記パターン化された表面は、サンプル展示要素とは独立したフロアカバー製品のパターンに対応する６つ又はそれ以上の選択可能なパターンの配列を含む請求項３７に記載のサンプル展示ユニット。
【請求項４８】
前記パターン化された表面は、少なくとも１つの特徴ラグ、カラー細長敷物、及びカラーラグの少なくとも１種である請求項３７に記載のサンプル展示ユニット。
【請求項４９】
少なくとも２つの選択可能なパターンは、実質的に類似の幾何学的デザインを含むが、色が異なる請求項３７に記載のサンプル展示ユニット。
【請求項５０】
前記少なくとも２つの選択可能なパターンは、実質的に異なる幾何学的デザインを含む請求項３７に記載のサンプル展示ユニット。
【請求項５１】
前記少なくとも２つの選択可能なパターンは、異なる色の実質的に異なる幾何学的デザインを含む請求項５０に記載のサンプル展示ユニット。
【請求項５２】
前記ラグ要素は、前記少なくとも２つの選択可能なパターンの少なくとも１部を識別する１つ又はそれ以上の一体の判読可能なパターンを更に含む請求項３７に記載のサンプル展示ユニット。
【請求項５３】
製品の形状、サイズ、色、パターン、価格、仕上げ、端部処理、ベース、及びその組合わせの少なくとも１種に関連する情報を提供する製品情報要素を備える請求項３７に記載のサンプル展示ユニット。
【請求項５４】
前記製品情報要素製品は、下げ札、ＰＯＰ札、ラグ札、パンフレット、シート、ページ、注文票の１種を備える請求項５３に記載のサンプル展示ユニット。
【請求項５５】
特徴ラグを更に備える請求項３７に記載のサンプル展示ユニット。
【請求項５６】
特徴ラグを更に備える請求項５３に記載のサンプル展示ユニット。
【請求項５７】
前記ラグ要素は、カラー細長敷物及びカラーラグの少なくとも１種を備える請求項３７に記載のサンプル展示ユニット。
【請求項５８】
領域ラグフロアカバー製品パターンの選択に使用されるフロアカバーサンプル展示ユニットであって、パターン化された表面を含むラグ要素を備え、前記パターン化された表面は、サンプル展示要素とは独立した領域ラグフロアカバー製品のパターンに対応する少なくとも２つの選択可能なパターンの配列を含み、前記少なくとも２つの選択可能なパターンの少なくとも１つは、内側部と周縁部とを備え、前記周縁部は、内側部とは異なるパターンを含むフロアカバーサンプル展示ユニット。
【請求項５９】
前記ラグ要素は、前記少なくとも２つの選択可能なパターンの少なくとも１部を識別する１つ又はそれ以上の一体の判読可能なパターンを更に含む請求項５８に記載のフロアカバーサンプル展示ユニット。
【請求項６０】
フロアカバー製品パターンの選択に使用されるフロアカバーサンプル展示ユニットであって、パターン化された表面を含むカーペット要素を備え、前記パターン化された表面は、フロアカバー製品のパターンに対応する少なくとも２つの選択可能なパターンの配列を含むフロアカバーサンプル展示ユニット。
【請求項６１】
前記カーペット要素は、前記少なくとも２つの選択可能なパターンの少なくとも１部を識別する１つ又はそれ以上の一体の判読可能なパターンを更に含む請求項６０に記載のフロアカバーサンプル展示ユニット。
【請求項６２】
展示ラックと、前記展示ラックに支持された複数のサンプル要素を備え、前記複数のサンプル要素の少なくとも１部は、フロアカバー製品のパターンに対応する少なくとも２つの選択可能なパターンの配列を含むパターン化された表面を備える、複数の表面カバー製品パターンを同時に示す展示システム。
【請求項６３】
前記表面カバー製品は、領域ラグを含む請求項６２に記載の展示システム。
【請求項６４】
前記複数のサンプル要素の少なくとも１部は、前記領域ラグに実質的に対応するサイズ及び形状である請求項６３に記載の展示システム。
【請求項６５】
前記少なくとも２つの選択可能なパターンの配列は、前記パターン化された表面における少なくとも１つのはめ込みパターン部を備える請求項６３に記載の展示システム。
【請求項６６】
前記少なくとも２つの選択可能なパターンの配列は、前記パターン化された表面における少なくとも１つのカラータフト、織られた、編まれた、又は接着されたパターン部を備える請求項６３に記載の展示システム。
【請求項６７】
前記少なくとも２つの選択可能なパターンの配列は、前記パターン化された表面における少なくとも１つの印刷又は染色されたパターン部を備える請求項６３に記載の展示システム。
【請求項６８】
前記少なくとも１つの印刷又は染色されたパターン部は、スクリーン印刷又はジェット染色パターンを備える請求項６７に記載の展示システム。
【請求項６９】
前記パターン化された表面は、表面カバー製品のパターンに対応する３つ又はそれ以上の選択可能なパターンの配列を含む請求項６２に記載の展示システム。
【請求項７０】
前記パターン化された表面は、表面カバー製品のパターンに対応する４つ又はそれ以上の選択可能なパターンの配列を含む請求項６２に記載の展示システム。
【請求項７１】
前記パターン化された表面は、サンプル展示要素とは独立したフロアカバー製品のパターンに対応する６つ又はそれ以上の選択可能なパターンの配列を含む請求項６２に記載の展示システム。
【請求項７２】
前記少なくとも２つの選択可能なパターンは、実質的に類似の幾何学的デザインを含むが、色が異なる請求項６２に記載の展示システム。
【請求項７３】
前記少なくとも２つの選択可能なパターンは、実質的に異なる幾何学的デザインを含む請求項６２に記載の展示システム。
【請求項７４】
展示ラックに支持されるように適合されたサンプルラグ要素を備え、前記サンプルラグ要素の少なくとも１部は、フロアカバー製品のパターンに対応する複数の選択可能なパターンの配列及び前記サンプルラグ要素に取りつけられた製品情報を含むパターン化された表面を備える、複数のフロアカバー製品パターンを同時に示す展示システム。
【請求項７５】
前記サンプルラグ要素及び前記製品情報と組み合わされた特徴ラグを更に備える請求項６２に記載の展示システム。
【請求項７６】
前記製品情報は、下げ札である請求項７４に記載の展示システム。
【請求項７７】
前記製品情報は、製品の像を縮尺することである請求項７４に記載の展示システム。
【請求項７８】
前記製品情報は、サイズ、形状、価格、ＳＫＵ数、バーコード、製品コード、仕上げ、端部処理、ベース構成、及びその組合わせの少なくとも１種を含む請求項７４に記載の展示システム。
【請求項７９】
サンプル領域ラグ、色選択細長敷物、及び組み込まれた製品提供情報を備える領域ラグ展示及び提供システム。
【請求項８０】
注文票を備える請求項７９に記載のシステム。
【請求項８１】
前記組み込まれた製品情報は、サイズ、色、及び仕様の少なくとも１種を含む請求項７９に記載のシステム。
【請求項８２】
前記組み込まれた情報は、製品番号、品質、輸送あて先、及び請求あて先の少なくとも１種を含む請求項７９に記載のシステム。
【請求項８３】
前記組み込まれた情報は、下げ札として示される請求項７９に記載のシステム。
【請求項８４】
前記領域ラグサンプル及び細長敷物が１つのアイテムとして結合されている請求項７９に記載のシステム。
【請求項８５】
少なくとも４５の製品の選択を提供する請求項７９に記載のシステム。
【請求項８６】
少なくとも５４の製品の選択を提供する請求項７９に記載のシステム。
【発明の詳細な説明】
【技術分野】
【０００１】
本発明は、サンプル要素、展示システム、及び／又は方法に関する。更に、本発明は、壁カバー、フロアカバーのような表面カバーのサンプル展示要素、特に、フロアカバーのサンプル展示要素、利用出来る複数の色、パターン及びその組合せの展示のためのスペースの要求を低減するように複数のデザインを組み込んだユニット又はシステム、及び／又はそのような展示要素、ユニット又はシステム、加えて色、サイズ、及び／又は下げ札のような形状に関する情報に関する。また、本発明のある態様は、表面カバー、壁カバー、またはフロアカバーのような製品の売買、展示、販売、及び／又は取り引きの方法、プロセス、及び／又はシステムに関する。特に、本発明の少なくともある特定の態様は、カーペット又はラグ展示要素、ユニット、システム又は方法に関する。
【背景技術】
【０００２】
フロア面に配置するための、実質的に平らな形態のフロアカバー要素を用いることは周知である。そのようなフロアカバー要素としては、広幅織りカーペット、カーペットタイル、マット、細長敷物、及びラグがある。業界では、“ラグ”なる語は、自由に敷かれるフロアカバー要素、または（矩形、楕円形、円形等）の形状、及び比較的小さい寸法から１２フィート×１５フィート又はそれ以上の実質的サイズの製品について言う語である。
【０００３】
ラグの伝統的取り引きでは、様々な利用可能なパターン及び色体系の一方を具体化するそれぞれのサンプルは、潜在的購買者が、相互に比較的近くで接触し、多くの利用可能なスタイル及びパターンを試すことが出来るように、典型的にはそれぞれの回動するラック要素に吊下げる配列で配置される。近年、製造技術がより多岐にわたるに従って、様々な利用可能なパターン及び色体系が増加するに至った。従って、潜在的購買者に利用可能な選択は、それに対応して拡大した。特に、利用可能なパターンの数が増加し、それぞれは、多くの様々な色の組み合わせにおいて利用可能である。必要に応じて基本的パターンの周辺に組み込まれ得る様々なスタイル及び色彩の周縁パターンが利用可能であることにより、可能な選択の数が更に増加する。
【０００４】
デザインの組み合わせの広範囲の利用可能性は、顧客にとって有利であると考えられているが、様々な利用可能な選択又は組合せの展示は、それぞれの利用可能な組み合わせを提供するための十分な数の展示ラックによるコスト及び空間的要求により問題があることがわかった。
【０００５】
この問題の可能な解決として、ある利用可能な色スキームが、サンプルラグ（展示ラグ）の内部に使用され、様々な他の利用可能な周縁パターンが、分離して取りつけられた、より小さなサンプル、ピース、又はコーナーの形で展示される、ラグサンプルを展示することが提案されている。しかし、このサンプル展示技術は、周縁サンプル要素のためのスペースの割り当てを必要とするという欠点を有している。加えて、ラグの主要部のためのパターンが２色又はそれ以上の色で利用可能であるならば、それにもかからわず、対応する数のサンプルは、潜在的購買者に、それらの特定の色を見る能力を与えることを必要とする。そのような組み合わされたラグ及びサンプルラグ又はピースは、それぞれの展示ラックのための実質的な重量と嵩をもたらす。また、多数のラグ、又はラグピース（コーナー）を単一のラックに取りつけることは困難である。最後に、周縁パターンの個別サンプルと組合わせてサンプルラグを用いる展示システムは、展示ラグ自体が、直ちに製品を望む将来の購買者に、意図的に又は不注意にも販売されてしまうかもしれない可能性を残している。そのようなサンプルラグの販売は、混乱を生じさせ、失われたラグと残りの個別の周縁パターンサンプルとを対にすることが潜在的購買者には出来ないため、その特定のラグの販売の欠如を生じさせる。
【０００６】
４フィート×６フィート又は６フィート×９フィートの規格サイズの矩形ラグのようなサンプルラグが、その特定のストック保持ユニット（ＳＫＵ）又は製品の在庫が乏しい時に販売されるのは、異常である。展示ラグがラックからなくなると、その特定のラグの販売は急激に落ちる。それがボルトでラックに取り付けられる箇所にボルト孔を有するものであっても、消費者がそのような展示ラグを購入してしまうことは、あり得ることである。
【発明の開示】
【発明が解決しようとする課題】
【０００７】
本発明の少なくとも１つの態様は、潜在的購買者により観察され、購買者のために領域ラグ又は他の表面カバー、壁カバー又はフロアカバー製品内に組み込むために選択される、複数の利用可能なパターン及び／又は色スキームを、共通の表面に組み込む、領域ラグサンプル展示要素のような表面カバー展示要素を提供することにより、従来技術に対し、利点及び／又は代替手段を提供する。
【０００８】
更に、事実上、或る数のパターン及び／又は色スキームの組合わせは、単一のサンプルラグに組み込まれ、それにより潜在的購買者に、１つの展示ユニットから他の展示ユニットに物理的に移動させなければならないこと無しに、共通の表面に様々な代替物を同時に観察する能力を提供し、かつそれにより適当な、望ましい色及び／又はパターンスキームを選択する能力を促進させる。加えて、ラグ、ベース、ＳＫＵ、デザイン、バーコード、色、及び／又はパターンの参照数字、及び／又は他の情報（テキスト及び／又は数）は、様々な展示領域のそれぞれの整理された配列で、サンプルラグ内に一体的に組み込まれてもよい。
【課題を解決するための手段】
【０００９】
これらの利点は、共通の表面に少なくとも２つの幾何学的デザイン及び／又は色スキームを具体化するマルチ−パターンを有するラグサンプル又はサンプル要素を提供することにより、本発明の潜在的に好ましい形態で達成される。より大きなまた小さい幾何学的形状を必要に応じて同様に用いることが出来るが、展示ラグは、伝統的なサンプルラックに（ラックの一方の側に）おける展示のため、６フィート×９フィートのような実質的にフルサイズの幾何学的形状であるのが好ましい。展示ラグはまた、それらの限定された領域の特徴を組み込んでいる領域ラグのその後の注文を促進するために、様々なパターン化された領域に存在するパターンを指定する一体化した展示文字を含むのが好ましい。
【００１０】
本発明の少なくとも特定の態様によると、サンプル領域ラグ又はサンプル要素のような少なくとも１つのサンプル展示要素は、価格、形状、サイズ、ベース、色、仕上げ、端部処理等の他の情報と組合される。好ましくは、このことは、製品を展示するのに必要なスペース又は重量を増加させることなく、消費者又は顧客への、選択権、組合せ、製品、又は物品の選択の数を増加させる。例えば、この追加の製品の情報は、好ましくは、サンプル領域ラグに取り付けられた、下げ札、シート、チャート、ページ、パンフレットに提供される。消費者は、感触、サイズ、形状、及び色のアイデアを得るために、サンプル展示要素を見たり、触れたりすることが出来る。
【００１１】
一例によると、領域ラグ展示要素は、大きな特徴ラグ領域、１つ又はそれ以上の追加のカラー領域、及び異なる形状及び／又はサイズのラグを示す下げ札を含む。領域ラグサンプル展示要素のみが、特徴づけられたラグ（１つのパターン又はデザイン、２つの形状又はサイズ、２つの異なる色）の少なくとも４つの異なる選択を、消費者又は顧客に与える。下げ札の追加は、選択されたパターン又はデザイン（ラグ）の追加の選択（形状、色）を消費者に与える。
【００１２】
サンプル展示要素、及びサンプル展示要素と本発明の少なくとも選択された態様の追加の製品情報との組合せは、表面カバー製品、壁カバー製品、フロアカバー製品等のような製品又は物品を、市場に出し、取引し、販売し、展示し、注文等する、改良された又は促進された方法、プロセス等を提供する。また、サンプル展示要素、及びサンプル展示要素と追加の製品情報との組合せは、より楽しい効率の良い買い物体験を提供し、製品の特別の注文を促進し、展示する製品のためのスペースの要求を減少させ、フロアスペースの平方フィートあたりの販売数を最大化又は増加させ、顧客がサンプル展示要素を購入してしまう可能性を減少させる。
【発明を実施するための最良の形態】
【００１３】
図１では、小売業者、ホームセンター、カーペット又はフローリングの専門店等のような購買者の環境において、ラグサンプルのようなフロアカバーサンプルを展示するために使用されるような展示ラック１０が示されている。図示するように、展示ラック１０は、一対の垂直ポスト１２、及びこの垂直ポスト１２間を延びる少なくとも１つの水平バー要素１４を備えている。図２に示すように、複数の支持ロッド、ラック又はアーム１８が、水平要素１４から外側に突出している。支持ロッド又はアーム１８は、好ましくは、相互に隣接する支持ロッド１８を、対向する方向にちょうつがいで分離するように、水平バー要素１４に対し、ちょうつがいで止められるているか又は回転可能であり、それにより、そのような隣接する支持ロッド１８間の観察スペースを空けている。実際には、それぞれの支持ロッド１８が２つの対向するラグサンプル２０を保持するように、ラグサンプル２０は、それぞれの支持ロッド、ラック又はアーム１８のいずれかの側から下方に延びている。ラグ又はサンプル２０のそれぞれは、例えばクリップ、ボルト、クランプ等により、ロッド、ラック又はアーム１８の一方の側又は片側に取り付けられる。
【００１４】
２つだけのラグ、要素、ユニット、又はサンプル２０が図１に示されているが、通常の使用では、展示１０のロッド、アーム又はラック１８のそれぞれが、２つのサンプル、ユニット、カーペット、又はラグ２０を支持している。だれでも展示１０によりとられるフロアスペース（展示の足跡）の全体の長さ四方を計算することが出来、またフロアスペースファクターである平方フィート当りの展示された製品の数を算出するために、展示された製品の数（ＳＫＵ、オプション、組合わせ）により、このトータルの平方フィートを分割することが出来る。また、だれでもアーム当り又はアームの片側当りで示された製品の数を計算することが出来る。
【００１５】
示された展示１０は１つの例示的態様を示すが、本発明は、特定の態様の展示又はラックに何ら限定されるものではないことを理解し、認識すべきである。これに対し、本発明は、実際の展示手段に関わりなく、任意の展示環境に有用である。例えば、ラグは、引出し、棚、又はスライドに展示することが出来る。従って、図示され、説明された展示ラック１０は、例示するのみであり、本発明を限定するものではないことを理解すべきである。
【００１６】
これまでは、展示１０又は支持ロッド１８の実際の構成にもかからわず、サンプルラグは、典型的には、実際に購入され、使用される形態で展示されている。即ち、サンプルラグ２０は、典型的には、最終的に購入者に販売されるラグに実質的に相当している。しかし、そのような展示の実施は、それぞれの利用可能なパターン及び／又は色彩スキームに対応する個々のラグサンプル２０を収容するに充分なスペースの割り当てを必要とする。利用可能なパターン及び／又は色彩スキームの数が増加するばするほど、対応するサンプルを表すために、それだけスペースを必要とする。
【００１７】
例えば、これまで、展示が１０個のアームを有する場合には、それぞれのアームは、２つのサンプルラグを保持するので、２０個のサンプルラグの展示が提供される。展示が７２平方フィートのフロアスペースをとるならば、平方フィート当りに展示された製品であるフロアスペースファクターは、２０／７２又は約０．２８である。もし、（図３のユニット３２０のような）本発明の２つの表面カバーサンプル展示ユニットが、１０個のラックの展示ユニット１０のそれぞれのラック又はアーム１８上に置かれ、かつ展示１０が７２平方フィートのフロアスペースをとるならば、平方フィートあたりの展示された製品ファクターは、７×２０／７２又は１．９４である。平方フィートあたりの展示された製品ファクターが高ければ高いほど、良好である。言い換えると、平方フィートあたりの展示できる製品の数が多ければ多いほど、展示スペースの平方フィートあたりの販売できる機会が多くなる。
【００１８】
明らかに、ラグは、それらの表面にわたり実質的に均一なパターンを含むか、或いは、所望の美的特徴を得るために、パターン、色、仕上げ、エッジ処理、周縁部等の組み合わせを利用する。最もシンプルな、全面にわたって均一なパターンは、ラグの実質的に全面にわたって延びる、単一のベタの色又は混色である。花柄パターン等のような実質的に反復の幾何学パターンが、全面にわたって実質的に中断しない形で延びていてもよい。
【００１９】
多くの領域ラグでは、実質的にベタの色パターン又は反復幾何学パターン若しくはデザインが、コーディネートされたフレームまたは周縁の色又はパターンにより囲まれたラグの内側にわたって延びていてもよい。内側部分との組み合わせで、周縁パターンのコーディネートされた表示は、使用環境におけるラグの最終外観に実質的に影響を与える。更に、内側は、１つ又はそれ以上の追加のパターン、デザイン、または色を含んでいてもよい。この点において、与えられた内側パターンに対しては、周縁パターンの色の比較的小さな変化が、ラグの最終外観の実質的な変化を生じさせることが見出された。また、ラグのサイズ又は形状の変化は、ラグの外観に大きな影響を与える。
【００２０】
図３に示す、本発明の第１の例示的態様では、見る者にフルラグの様々なパターン要素の特徴及び配置の理解を提供する、代表的パターン又はデザイン部３２２をその表示面にわたって含む、サンプルラグ又はラグサンプル３２０のような表面カバー展示ユニットが、提供される。図示された態様では、表示パターン部３２２は、主要内側パターン部３２４及び周縁部３２６を含む。複数のもう一つのパターン部３２８は、表示パターン部として、基体の同じ表面上に存在する。図示するように、もう一つのパターン部３２８は、見る者によるデザイン成分の相対的空間配置の理解を助けるように、もう一つのパターン又は色を含む様々な利用可能なパターン又はデザインのコーナー部を展示してもよい。
【００２１】
例示的サンプルユニット３２０に従って、７つの様々なパターン、デザイン、又は色彩（ルリ色、バラ水晶、砂岩、小麦、暗コハク、紫水晶）がある。サンプルユニット３２０は、消費者に、７つの様々な色彩のうちの真の又は実際の色である、ルリ色のラグの外観と感触を与え、また消費者に、単一の展示又は特徴ラグにより提供された単一の選択よりもむしろ、選択すべき製品の少なくとも７つの様々な選択を与える。
【００２２】
サンプルユニット３２０が、利用可能な形状及び／又はサイズの情報を提供する購買時点広告（ＰＯＰ）の下げ札のような、図１６、１７、又は１８に示す下げ札のような追加の製品及び／又は注文情報と組み合わされるならば、消費者は、サンプルユニット３２０当り、フロアスペース平方フィート当り、ラック当り、サポートアームの片側当り、サンプルラグ当りの、サンプルユニット３２０の更に多くの選択を有する。例えば、７つの異なる色彩（パターン）×９つの異なる形状又はサイズは、サンプルユニット３２０につき、６３の製品の選択を与える。それ故、本発明は、サンプルユニットにつき、製品選択の多重効果を提供する。サンプルユニット３２０は、２つ又はそれ以上の色彩（パターン）、より好ましくは３つ又はそれ以上の色彩、最も好ましくは６つ又はそれ以上の色彩（特徴ラグ部プラス少なくとも１つの追加の色彩部）を提供することが好ましい。
【００２３】
本発明のサンプルユニット又はラグは、例えばホワイトヤーン、カットパイルタフテッドベース上に、ジョージュア州、ラグランジェのミリケンアンドカンパニー社により市販されているMillitron（登録商標）ジェットダイマシーンを用いてジェット染色することにより、プリント可能又は染色可能な基体（カットパイル、ループパイル、タフテッド、ボンデッド、織布、ニット）上に、色彩、パターン、デザイン、テキスト等を印刷又は染色することにより製造するのに適しているが、本発明のサンプルユニット又はサンプルラグは、ハンドタフトすること、グラフィックタフトすること、織ること等により、予備染色又は着色された糸を織ること又はタフトすることにより製造され得る。
【００２４】
本発明のサンプルユニット又はサンプルラグの印刷又はジェット染色は、大量生産の経済性を提供し（次々と広幅で印刷又は染色され得るか、又は入れ子にされ、次いで別々のユニット又はラグに切断され得る）、ラグの最小の注文ではなく、（単一アイテム）の一つを見越し、２４時間、３日、７日等以内に、顧客、小売業者、販売者に、在庫目録ではなく、特別の注文、及び直接の輸送を提供することが出来る。また、本発明のサンプルユニット又はサンプルラグは、トータルの特別注文に対し、在庫システムではなく、混合目録、及び特別の注文システムを利用するか、又は製品選択のすべてがストックから利用し得るトータルの在庫システムを利用する。
【００２５】
例示された潜在的な好ましい実施によると、ラグサンプル要素３２０は、適切な形成及びパターン化技術により形成された単一の構造である。この点において、パターン化された色彩のタフティング又は織り技術、はめ込み技術、染色及び／又は印刷技術により、別のパターン部３２８を塗布することが考えられる。染色又は印刷技術が有用であることが考えられる。そのような印刷技術として、例えば、スクリーン印刷、ジェット染色印刷、転写印刷、及びその組合わせがある。複数の微細な寸法の染料ジェット流を用いるジェット染色印刷は、特に好ましい。ラグサンプル要素３２０にパターン列を塗布するために使用されるメカニズムにもかかわらず、最終的に得られた構成は、潜在的購入者に、そうでなければ２つ又はそれ以上の別々のラグに表示しなければならない、色彩及び／又は幾何学的パターン（入手し得る製品）の多くの利用可能な組合わせの図を提供する。
【００２６】
図示するように、潜在的に好ましい実施によると、表示パターン部３２２と別のそれぞれのパターン部３２８の双方は、好ましくは読み取り可能な認識見出し３４０により指定されている。認識見出し３４０は、機械により読み取り可能であるか、又は人間により読み取り可能な形状である。人間により読み取り可能な形状は、小売業者による注文の採用を促進するために潜在的に好ましい。
【００２７】
本発明は、広範囲の配置によりラグサンプル要素３２０の表面に、様々なパターン部が配置されるのを可能とすることがわかる。図４では、別のパターン部４２８がラグサンプル要素４２０の上部に配置され、表示パターン部４２２が別のパターン部４２８の下及び側部に配置されているラグサンプル要素４２０が示されている。
【００２８】
図５に示す、本発明の他の潜在的に好ましい態様によると、ラグサンプル要素５２０は、内部パターン部５２４及び周縁部５２６を含む表示パターン部５２２を含むようにパターン化される。この態様では、内部パターン部５２４’及び周縁部５２６’を含む、１つ又はそれ以上の別のパターン部５２８が、周縁部５２６の実質的な連続性の外観を提供し、一方、それにもかかわらず好ましくは複数の可能なパターンの組合わせを示すように、ラグサンプル要素５２０の少なくとも一部の周りに配置されている。
【００２９】
図６では、それぞれのパターン部がラグサンプル要素６２０の４分の１を占めるように、ラグサンプル要素６２０が、ラグサンプル要素６２０の表面に、調整されたパターン状に配置された、複数の実質的に個別のパターン部６５０，６５２,６５４，６５６に細分割される、本発明の更に別の態様が示されている。図示された態様によると、実質的に個別のパターン部６５０，６５２,６５４，６５６は、実質的に個別のパターン及び／又は色彩の組合せを定義し、一方、全ラグ構造の部分を同時に共同して定義している。明らかにわかるように、図６に示すラグサンプル要素３２０は、４つの実質的に個別のパターン部６５０,６５２，６５４,６５６を統合するが、そのような分割は、必要に応じてより多いか又は少ない個別パターン部を生ずる。従って、例示のみであり、限定するものではないが、ラグサンプル要素６２０は、例示のためのみである、図６Ｂ及び６Ｃのそれぞれに模式的に示されているような６つ又は８つのパターン部を含む、様々なパターン及び／又は色彩の選択を示すのに必要な、わずか２つの、又は必要に応じて２つを超える奇数又は偶数の実質的に個別のパターン部を含む。
【００３０】
図３−６に示す態様のそれぞれは、一般のパターンに適用可能な別の色彩スキームを展示するために使用されたラグサンプル要素を示しているが、本発明による単一のラグサンプル要素は、同一か又は異なる色彩スキームのいずれかにおいて、２つ又はそれ以上の実質的に異なるパターンを組込んでいてもよい。そのような態様は、図７において、単一のラグサンプル要素７２０が第１のセグメント７６０及び第２のセグメント７６２を組み込んだ代表的な形で示されている。第１のセグメント７６０におけるパターンは、第２のセグメント７６２におけるパターンとは異なっている。
【００３１】
図８では、４つの実質的に個別のパターン部８６４，８６８，８７０が提供される、単一のラグサンプル要素８２０に多数のパターンを提供する能力を示す更に代表的な図が提供される。もちろん、より多い又は少ないパターン部を用いてもよいことが同様に理解される。
【００３２】
図９に示すように、また本発明の一態様により、個別のパターン部９７０，９７２がラグサンプル要素９２０の表面に配置されているラグサンプル要素９２０が提供される。加えて、１つ又はそれ以上の補助パターン部９７４が、ラグサンプル要素９２０の表面に配置されている。そのような配置は、補助パターン部９７４が個別パターン部９７０，９７２の双方に共通して利用可能である場合に、特に有用であることがわかる。
【００３３】
本発明はまた、共通の構造内に、複数の個別パターン部及び合体した補助パターン部を提供することを可能とする。そのような配置が、代表的な形で図１０に示されている。図１０に示す態様では、実質的に異なるパターンを有する第１のパターン部１０８０及び第２のパターン部１０８２を含むラグサンプル要素１０２０が提供される。第１のパターン部１１８０に存在するパターンとの組み合わせで使用可能な複数の補助パターン部１０８４が、第１のパターン部１１８０に隣接して配置されている。同様に、第２のパターン部１１８２内に表示されたパターンと組み合わせて使用可能な複数の補助パターン部１１８６が、パターン要素の適切な組み合わせの選択における使用のために、第２のパターン部１１８２に隣接して配置されている。
【００３４】
図１１に示す例示的態様では、展示ユニット又はシステム１１２０は、特徴ラグ部（代表的パターン又はデザイン部）１１２２、複数の別のパターン部１１２４からなるカラー細長敷物部１１２３、及びループ、リング、カード又はタイ１１２８により特徴ラグ部１１２２に取り付けられた下げ札１１２６を具備している。特徴ラグ部１１２２及びカラー細長敷物１１２３は、少なくとも６つの異なる色彩又はパターンの（製品の）選択を提供する。示された下げ札１１２６は、少なくとも９つの異なる形状又はサイズを提供する。そのため、展示ユニット又はシステム１１２０は、顧客、潜在的顧客、小売業者等に、少なくとも５４の異なる製品の選択又はＳＫＵを提供する。また、サンプルユニット、要素、またはシステム１１２０は、ディーラー、小売業者、配給業者等が必要に応じてみずから注文することが出来る、特定のＳＫＵである。
【００３５】
図１２を参照すると、２つの異なるサンプルユニットまたはシステム１２２０，１２２２が示されており、それぞれは、クリップ、リング、カード、タイ等１２３６，１２３８により細長敷物又はラグに取り付けられた透明カバー又は小袋１２３２，１２３４内に、複数の別のパターン部１２２４，１２２６からなるカラー細長敷物又はラグ１２２３，１２２５、及び下げ札１２２８，１２３０を備えている。
【００３６】
カラー細長敷物又はラグ１２２３，１２２５は、好ましくは、２つの細長敷物が展示の単一ラック又はアームの一方に適合するようなサイズである。このように、顧客は、細長敷物自体により提供された、１０の異なる色彩、パターン、デザイン又は選択、及びそれぞれの下げ札により提供された９つの異なるサイズ及び／又は形状を有しており、次いでユニット又はシステム１２２０及び１２２０の組み合わせは、顧客に９０の異なるＳＫＵ、選択又は製品を提供する。１つの展示におけるラックの半分当りの９０の異なるＳＫＵは、１つのＳＫＵに対する劇的な改善であることが容易にわかる。また、顧客は（特徴ラグよりも）カラー細長敷物を購入し、ラックの半分を空にすることはない。しかし、顧客又はディーラーがカラー細長敷物１２２３又は１２２５を購入することを望むならば、細長敷物は、領域ラグのように、注文又はストックされ、販売される。
【００３７】
図１３に示すように、（図１２のシステム１２２０，１２２２のような）一対のサンプルユニット又はシステム１３２０及び１３２２は、それぞれが（図５のパターン部５２８のような）複数の別のパターン部１３２４，１３２６及び下げ札１３２８，１３３０を備える、それぞれのカラー細長敷物又はラグ１３２３，１３２５を具備している。カラー細長敷物１３２３，１３２５は、それぞれ好ましくは、ラグの２分の１であり、示すように、顧客に１０の異なる色、パターン、又はデザインの選択を提供する。ユニット１３２０,１３２２は、一緒に、複数のカラー細長敷物及び下げ札の展示システムを形成し、それらは消費者、顧客、小売業者等にＳＫＤ、製品又はその組合わせを提供する。また、消費者がカラー細長敷物１３２３，１３２５の１つを購買し、ラックを空に又は半分を空にすることは少ない。
【００３８】
展示におけるラック又はアームあたりの複数の（２つ又はそれ以上の）カラー細長敷物１２２３,１２２５,１３２３,１３２５があることが好ましいが、単一の細長敷物又はラグが２つ又はそれ以上のＳＫＵ又は選択を提供してもよく、下げ札と組合わせる場合には、買い物客、消費者、又は購買者に３つ又はそれ以上の選択又はＳＫＵを提供してもよい。
【００３９】
下げ札１１２６，１２２８，１２３０，１３２８，１３３０，１５３０，１６２０，１７２０，１８２０，及び２２２６が、９つの異なるサイズ及び／又は形状（４つの矩形、１つの細長形、１つの正方形、１つの円形、２つの卵形）を示したとしても、任意の複数の異なるサイズ、形状、仕上げ、エッジ処理、ベース、裏打ち、輸送の選択、支払の選択、またはその組合せは、本発明の技術思想及び範囲内において、顧客又は消費者に多くの製品又はＳＫＵの選択を提供する。下げ札又は他の追加の製品及び／又は注文の情報は、顧客又は消費者に、少なくとも２つの、より好ましくは少なくとも３つの、最も好ましくは少なくとも６つ又はそれ以上の製品又はＳＫＵの選択を与える。
【００４０】
例えば、他の矩形、他の細長形、他の円形、他の正方形、他の卵形、楕円形、六角形、八角形、三角形、ダイヤモンド形等のような追加の選択を加えることは、容易に予想される。
【００４１】
本発明の特定の例によると、１２の異なるカラー細長敷物及び組み合わされた下げ札が、大きな展示ラックのそれぞれのアームに架けられ、それぞれの細長敷物は５つの異なる別のパターン部を有し、それぞれの下げ札は９つの異なるサイズ及び／又は形状の選択を提供し、これらは消費者に、アーム当り選択する、５４０の異なるＳＫＵ又は製品を提供する（アームの片側当り２７０のＳＫＵ又は製品）。
【００４２】
図１４を参照すると、大きな特徴ラグ部１４２２、複数の別のパターン部１４２６、及び（図１６のそれのように）特徴ラグ部１４２２に取りつけられた下げ札１４２８（或いは下げ札はカラーラグ部１４２４に取り付けられていてもよい）を含む他の別の展示ユニット又はシステム１４２０が示されている。ユニット又はシステム１４２０は、特徴ラグを見て感じるため、実際の又は真実の色の選択を見るため、及び複数の形状、サイズ、ベース、仕上げ、価格等から選択する機会を店主、消費者、又は顧客に提供することにおいて、ユニット１１２０、１２２０、１２２２、及び１３２２と同様に作用する。図示するように、ユニット１４２０は、２分の１ラック又は展示のアームあたり、少なくとも５又はそれ以上の異なるＳＫＵ又は製品を提供する。また、特徴ラグ部１４２２及びカラーラグ部１４２４がそれぞれ別のラグ（特徴ラグ及びカラーラグ）であるならば、下げ札１４２８はカラーラグ部１４２４に移動してもよい。
【００４３】
図１５に示すように、サンプルユニット又はシステム１５２０は、複数の異なる別のパターン部１５２２,１５２４，１５２６，１５２８を有する円形サンプルラグ１５２１、及びそれに取り付けられた下げ札１５３０を備える。下げ札は、剥離可能に又は永久に、ラグ１５２１に取り付けられ又は固定されてもよい。図示するように、ユニット又はシステム１５２０は、少なくとも３６の異なるＤＫＵ又は選択を消費者に提供する（彼らがラグ１５２１を購入するならば３７の異なる選択、ラグ１５２１の４つのカラーパターンにおいて９つのサイズ及び／又は形状のそれぞれを選択することが出来るならば、４５の異なる選択）。
【００４４】
図１６は、本発明の一例に従って、ラグを選択し、購入する１，２，３プロセスを説明する下げ札の一例（ＰＯＰ札）を示す。工程は、１）色を選択する、２）サイズ（及び形状）を選択する、３）ラグを選択する（在庫品、貯蔵品、又は７日以内に輸送するための特別の注文品のいずれかを購入）ことを含む。下げ札に示されたラグは、様々な形状、サイズ、及び様々な外観及びデザインを消費者に比較させるような縮尺で示されている。例えば、細長敷物は、矩形、円形、正方形、又は楕円形よりも多くの様々な内部デザインを有している。また、下げ札は、全体図における特定のパターン（ラグ）及びカラー細長敷物の様々な色を示すのが好ましい。
【００４５】
下げ札１６２０は、ラグの購入又は販売を促進及び強化するために、、特徴ラグ、特徴ラグ及びカラー細長敷物、特徴ラグ及びカラーラグ、特徴ラグ及び細長敷物、カラー細長敷物、カラーラグ、及び／又は同様のもののみに、又はラグセール又は販売システムとしての注文票１９２０と一緒に、用いてもよい。
【００４６】
図１７及び１８はそれぞれ、消費者に追加の製品、価格及び／又は注文情報を提供する下げ札１７２０,１８２０を示す。この場合でも、下げ札上のラグ又は製品の像が、製品間の劇的な相違（小さい矩形対大きい矩形、細長敷物（細長い布）対矩形、円形対正方形等）を比べ、示すことが好ましい。様々なラグの下の空の箱は、価格、ＳＫＵナンバー、バーコード等を収容する。
【００４７】
下げ札１８２０の細長敷物は、（内側デザイン領域のない）矩形のラグとは大きく異なっている。顧客が下げ札１８２０に示された細長敷物の絵又は像を見ずに、矩形ラグ又は円形、正方形、楕円形ラグを見て注文したときには、顧客は、その細長敷物に失望し、それを返却したいと思うかも知れない。その結果、適切に使用されたときの下げ札１１２６，１２２８，１２３０，１３２８，１３３０，１４２８，１５３０，１６２０，１７２０，１８２０，及び２０２６は、返却を減少又は防止することが出来る。これにより、コストが減少され、購入者により楽しい買い物の体験を与える。
【００４８】
図１９は、１つ又はそれ以上のラグを購入又は注文するために、サンプルユニット、要素、システム、及び／又は下げ札との組み合せで、顧客、販売人、レジ係により使用され得る例示的注文票１９２０を示す。同様の形態を、他の表面カバー、壁カバー、又はフロアカバー製品を購入するために使用してもよい。
【００４９】
図２０は、小売業者、ホームストア、カーペットストア、デパート等に、カラー細長敷物２０２２、特徴ラグ２０２４、及び下げ札２０２６を提供する、”Milliken Solutiuon”（商標）という名の一例の販売システムを示す。なお、カラー細長敷物２０２２、特徴ラグ２０２４、及び下げ札２０２６は、下げ札上の像、単純な選択、及び購入システム等を比べるために、消費者又は小売業者に、５４の（１つのデザイ又はパターン、６つの色、９つの形状又はサイズの）様々な製品の選択を提供する。下げ札は、テキスト及び像が識別できるように、拡大して示されている。下げ札は、ペーパーストック上で約８−１／２インチ×１１インチであり、一方、カラー細長敷物は約２フィート×９フィートの印刷又は染色カーペットであり、特徴ラグは約６フィート×９フィートの印刷又は染色カーペットである。
【００５０】
図２１は、特徴ラグ部が別々のラグである本発明のシステム又はユニットのいずれかに使用される例示的特徴ラグ２１２０を示す。特徴ラグ２１２０は、展示ラグが販売されるのを防止するために、底部に“展示目的のみ−販売用でない”という字句を有している。
【００５１】
図２２は、フルサイズの特徴ラグとして、又は（図１４のカラーラグ１４２４のような）フルサイズの特徴ラグと組合わせて使用されるより小さいカラーラグとして使用される例示的カラーラグ２２２０を示す。
【００５２】
本発明の（３２０，４２０，５４０，９２０，１０２０，１１２０，１４２０のような）表面カバー展示ユニット又はサンプルラグ又はラグサンプルの、特徴ラグ部又は要素及び別のパターン部又は要素は、両方とも単一アイテム又はラグの部分を形成するが、特徴ラグ要素及び別のパターン要素は、展示の同じラック又はアームに一緒に連結又は下げられている、独立のラグ又は独立のカーペットピースであってもよい。材料のコストの減少、重量の減少、輸送コストの減少、ラックの取り付けの容易さ、単一のサンプルユニットを注文の容易さに準備し、単一のアイテム等として印刷され、染色され得るので、単一のアイテムであるのが好ましい。
【００５３】
例えば、所定の小売業者、販売者、ホームセンター等は、展示ラグ自体が購入又は販売されるように、独立ラグであるべき、特徴ラグ要素及び別のパターン要素（カラー細長敷物、カラーラグ）を望むかも知れない。
【００５４】
本発明のある特定の態様によると、展示ユニット又はシステムは、顧客又は消費者に、特徴ラグの外観及び感触、複数の色選択の色、ラグ札を提供する。ラグ札は、別のサイズ又は形状を縮尺で示し、顧客又は店に選択された製品の特別の注文及び直接の輸送を準備する。また、ラグ札は、すべての色選択のフルカラーの図を提供する。
【００５５】
少なくとも１つの態様によると、本発明は、選択の数を増加させ、コストを減少し、展示スペースの平方フィートあたりの製品の販売数を増加させる。
【００５６】
本発明の少なくとも１つの選択された態様によると、本発明の展示ユニット又はシステムを含むビジネスプラン又は方法が提供され、これは、製品の特別の注文を推進し、又は少なくとも促進し、及び／又は顧客、店、販売者等に、選択、ＳＫＵ、製品、ユニット、システム、要素等を与える。
【００５７】
本発明の少なくとも１つの態様によると、ラグ札、下げ札、ＰＯＰ札、製品情報等は、１つ又はそれ以上の色選択、像、他の製品、デザイン、又はパターンの縮尺、容易な注文方法の工程又は情報、注文票、製品コード、バーコード、色コード、ＳＫＵ数、価格、入手可能性、輸送の選択、注文の選択、支払いの選択、接触情報、ウエブサイト情報、ヘルプ数等を含む。
【００５８】
本発明の一態様によると、製品の提供は、下げ札、カラー細長敷物、カラーラグ、特徴ラグ、サンプルラグ、サンプルユニット等を交換することにより、容易に新しく更新又は変更することが出来る。例えば、特定の色のカラー細長敷物が売れない場合、古いカラー細長敷物の代わりに新しいカラー細長敷物を印刷し、設置することが出来る。このようにして、製品の提供は、新鮮な、新しい状態を保つことが出来、及び／又は最良の売れ行きの商品のみを含むことが出来る。同様に、本発明は、展示ラックの一方の側に、多くの現行の及び／又は新しい製品を提供させることにより、新製品の低コストの販売研究を準備する。例えば、提供される３つの色は、最良の売れ行きであり、一方他の３つは新しいテストカラーであってもよい。同様に、サイズ、形状、色、仕上げ、ベース、端部処理、価格等を追加、及び／又は取り消すように、必要に応じて下げ札を修正してもよい。
【００５９】
本発明の一態様によると、消費者又は顧客は、最良の売れ行きの特定の製品のみを提供する製品から多くの選択を提供される。例えば、１０の最良の売れ行きの製品（パターン、デザイン）は、６つの異なる色と、９つの異なる形状及び／又はサイズで提供される。このことは、ショウ飛車に５４０の選択を提供し、一方、小売業者又は販売業者に対しては、１０のサンプルユニット又はラグを展示することを必要とするだけである。
【００６０】
ラグの顧客は、ラグを購入するに至るとき、デザイン又はパターンの選択よりも恐らく色の選択を欲することが見出された。そのため、本発明は、カラー細長敷物、別のカラー要素、カラーラグ、及び／又は下げ札を提供し、それらは顧客に彼らが何を欲しているか、即ち彼らが他の家具、フロア、壁等とマッチすることが出来るような色の選択を与える。
【００６１】
また、本発明によると、製品の売れ行きは、顧客に製品の外観及び感触、製品の真の色、及び選択を比較する便利な手段を提供しつつ、色、形状、及び／又はサイズの選択を増加することにより、増加させることが出来ることが見出された。
【００６２】
特別の注文又は顧客の注文、及び消費者又は購入者への製品の直接の輸送は、販売者、小売業者、販売業者、及び／又は供給者に、経済性及び効率を提供する。例えば、在庫のコストがからず、廃れず、在庫作業がなく、在庫の追跡がなく、貯蔵スペースが必要でなく、倉庫のスペースが必要でない等である。このことは、供給者又は小売業者のコストを減少させ、製品の価格を減少させる。そのため、本発明は、在庫を減少させるか又は在庫を無くし、固有の利益を提供する。
【００６３】
本発明の一態様によると、店主、顧客又は消費者は、選択された特徴ラグ、カラー細長敷物、及び下げ札を見て、特ていのラグ（サイズ、色、形状、パターン）を選択することにより、ラグを購入し、貯蔵品からラグを取出し、ラグを購入し、それを家に持ち帰る。
【００６４】
他の態様では、顧客は選択されたサンプル展示ユニットを見て、２つの異なるラグを選択し、注文票を書き込み、レジ係に持っていき、代金を支払う。そして、ラグは顧客の家に直接輸送される（過度に大きなラグでは、顧客は店まで取りに行かなければならない）。
【００６５】
更に他の態様では、顧客は選択されたサンプル展示ユニットを見て、特定のラグを選択し、注文票に書き込み、代金を支払い、次いでラグが「製造され、直接顧客に輸送される。
【００６６】
更にまた他の態様では、顧客は在庫から１つのラグを選択し、第２の異なるラグを特別注文する。例えば、特徴ラグは在庫にあり、一方、他の形状、サイズ、色の１つは特別注文しなければならない。
【００６７】
一例によると、特徴ラグは約５フィート×８フィートであり、カラー細長敷物は約２フィート×８フィートであり、ＰＯＰ札は約７インチ×１６−１／２インチである。
【００６８】
もちろん、本発明が壁カバー又はフロアカバー展示要素のような表面カバー展示要素に拡張されることを理解すべきである。そのような展示要素は、色及び／又はパターン化された領域の配置を組み込んでおり、そのような展示パターン及び／又は色のスキームは、潜在的購入者により選択可能である。そのようなフロアカバー要素は、マルチパターン、ラグのための周縁又は色の選択の同時の展示に有用であり、他のカバー要素はフロアマット、広幅カーペット、及びカーペットタイルを含む。このように、本明細書において特に図示され、記載された態様及び実施例は、例示のみであり、何ら本発明を限定するものではない。従って、本発明は請求の範囲及びその均等の範囲内において、発明の広い態様を含む、すべての変形例に拡張するものと理解すべきである。
【図面の簡単な説明】
【００６９】
【図１】例示的ラグ展示ラックの代表的側面図。
【図２】図１に示す展示ラックの上面図。
【図３】本発明の一態様によるラグサンプル展示要素の態様の平面図。
【図４】本発明によるフロアカバーサンプル展示要素の他の態様の表面の平面図。
【図５】本発明によるフロアカ  バーサンプル展示要素の更に他の態様の表面の平面図。
【図６Ａ】本発明によるフロアカバーサンプル展示要素の更にまた他の態様の表面の平面図。
【図６Ｂ】６つのカラー及び８つのカラーカバー展示要素（サンプルラグのような）を示す図。
【図６Ｃ】６つのカラー及び８つのカラーカバー展示要素（サンプルラグのような）を示す図。
【図７】単一のサンプル展示要素内の２つの実質的に異なるパターン領域の展示のための幾何学的配置を示す平面図。
【図８】単一のサンプル展示要素内の４つの個別のパターンの展示のための幾何学的配置を示す平面図。
【図９】単一のサンプル展示要素内の２つの異なる主パターン要素又は色及び入手し得る補助パターン要素の展示のための幾何学的配置を示す平面図。
【図１０】単一のサンプル展示要素内の多数の主パターン要素（又は色）及び主パターン要素のそれぞれと組み合わされた専用の補助パターン要素の展示のための幾何学的配置を示す平面図。
【図１１】図１７又は１８のそれのような下げ札を加えた図３のそれのような例示的サンプル表示ユニットを示す平面図。
【図１２】それぞれ５つの異なる色又はパターンを有し、それぞれ透明カバー又はポーチに配置された下げ札を有する細長敷物の形の、２つ並設したサンプル展示ユニットを示す平面図。
【図１３】サンプル展示ユニット（細長敷物）が１０の異なる色の選択を伴う実質的に全領域ラグを形成するように組み合わされたことを除いて、図１２のそれのような、２つの独立したサンプルユニット及び下げ札を示す平面図。
【図１４】特徴ラグ領域、４つのより小さいカラーサンプルラグ領域、及びそれに取りつけられた図１６のそれのような下げ札を有する矩形サンプル展示ユニットを示す平面図。
【図１５】４つの異なるカラー又はパターン要素及びそれに取り付けられた下げ札を有する円形サンプル展示ユニットを示す平面図。
【図１６】本発明の例示的態様による下げ札のような追加製品及び／又は注文情報を示す平面図。
【図１７】本発明の他の態様による下げ札を示す平面図。
【図１８】図１７のそれのような下げ札の他の態様を示す平面図。
【図１９】本発明の一態様による例示的注文票を示す平面図。
【図２０】例示的例示的表面カバー展示システム又はユニットを示す平面図。
【図２１】例示的特徴ラグを示す平面図。
【図２２】例示的カラーラグを示す平面図。
【符号の説明】
【００７０】
１０…展示ラック、１２…垂直ポスト、１４…水平バー要素、１８…アーム、２０…ラグサンプル、３２０…サンプルユニット、３２２…表示パターン部、３２６…周縁部、３２８…もう一つのパターン部。
【図１】
2005508207.tif 000003
【図２】
2005508207.tif 000004
【図３】
2005508207.tif 000005
【図４】
2005508207.tif 000006
【図５】
2005508207.tif 000007
【図６Ａ】
2005508207.tif 000008
【図６Ｂ】
2005508207.tif 000009
【図６Ｃ】
2005508207.tif 000010
【図７】
2005508207.tif 000011
【図８】
2005508207.tif 000012
【図９】
2005508207.tif 000013
【図１０】
2005508207.tif 000014
【図１１】
2005508207.tif 000015
【図１２】
2005508207.tif 000016
【図１３】
2005508207.tif 000017
【図１４】
2005508207.tif 000018
【図１５】
2005508207.tif 000019
【図１６】
2005508207.tif 000020
【図１７】
2005508207.tif 000021
【図１８】
2005508207.tif 000022
【図１９】
2005508207.tif 000023
【図２０】
2005508207.tif 000024
【図２１】
2005508207.tif 000025
【図２２】
2005508207.tif 000026
【国際公開パンフレット】
2005508207.tif 000027
2005508207.tif 000028
2005508207.tif 000029
2005508207.tif 000030
2005508207.tif 000031
2005508207.tif 000032
2005508207.tif 000033
2005508207.tif 000034
2005508207.tif 000035
2005508207.tif 000036
2005508207.tif 000037
2005508207.tif 000038
2005508207.tif 000039
2005508207.tif 000040
2005508207.tif 000041
2005508207.tif 000042
2005508207.tif 000043
2005508207.tif 000044
2005508207.tif 000045
2005508207.tif 000046
2005508207.tif 000047
2005508207.tif 000048
2005508207.tif 000049
2005508207.tif 000050
2005508207.tif 000051
2005508207.tif 000052
2005508207.tif 000053
2005508207.tif 000054
2005508207.tif 000055
2005508207.tif 000056
2005508207.tif 000057
2005508207.tif 000058
2005508207.tif 000059
2005508207.tif 000060
2005508207.tif 000061
2005508207.tif 000062
2005508207.tif 000063
2005508207.tif 000064
2005508207.tif 000065
2005508207.tif 000066
2005508207.tif 000067
2005508207.tif 000068
2005508207.tif 000069
2005508207.tif 000070
2005508207.tif 000071
2005508207.tif 000072
2005508207.tif 000073
2005508207.tif 000074
2005508207.tif 000075
2005508207.tif 000076
2005508207.tif 000077
2005508207.tif 000078
2005508207.tif 000079
2005508207.tif 000080
2005508207.tif 000081
【国際調査報告】
2005508207.tif 000082
2005508207.tif 000083
2005508207.tif 000084